(57)【要約】【課題】ボルト台座内にゴミ等が侵入して溜まることを抑制でき、それだけ衛生的に、また、清浄な状態で使用できる物品支持脚を提供する。【解決手段】ボルト台座に物品支持用のボルトが立設された物品支持脚であって、ボルト台座１０がボルト通し孔１１を形成した頂板部１と、頂板部１の周縁から下方へ延びる中空基台スカート部２とを含み、ボルト４が、その一部でボルト通し孔４４に挿通されるとともに回転可能且つ抜け止め状態に頂板部１に立設されており、基台スカート部２の下端開口２０が底板３により閉塞されている物品支持脚Ａ。ボルト４の外周面と頂板部ボルト通し孔１１の内周との間隙からのゴミ侵入を抑制する部材Ｓ或いはＣＡを設けてもよい。【選択図】    図１
2006038010.tif 000002
【特許請求の範囲】
【請求項１】
ボルト台座にボルトが立設され、該ボルトを被支持物品のボルト螺合部位に螺合させる一方、該ボルト台座を物品支持基体上に設置することで該物品を該物品支持基体上に支持する物品支持脚であって、該ボルト台座がボルト通し孔を形成した頂板部と、該頂板部の周縁から下方へ延びる中空基台スカート部とを含み、前記ボルトが、その一部で該ボルト通し孔に挿通される状態で該頂板部に立設されており、該基台スカート部の下端開口が底板により閉塞されていることを特徴とする物品支持脚。
【請求項２】
前記ボルトは回転可能且つ抜け止め状態に前記頂板部に立設されている請求項１記載の物品支持脚。
【請求項３】
前記ボルト台座頂板部に立設されたボルト外周面と該頂板部のボルト通し孔内周との間隙から前記中空基台スカート部内へゴミが侵入することを抑制するゴミ侵入抑制部材が設けら請求項１又は２記載の物品支持脚。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚、特に、ボルト台座にボルトが立設され、該ボルトを被支持物品のボルト螺合部位に螺合させる一方、該台座を物品支持基体（物品設置床等）上に設置することで該物品を該物品支持基体上に支持する物品支持脚に関する。
【背景技術】
【０００２】
ボルト台座にボルトが立設され、該ボルトを被支持物品のボルト螺合部位に螺合させる一方、該台座を物品支持基体（物品設置床等）上に設置することで該物品を該物品支持基体上に支持するタイプの物品支持脚は、特開平７−２４３４２０号公報、特開平９−８９１９１号公報等に開示されている。
【０００３】
このタイプの物品支持脚におけるボルト台座は、通常、強度上は要求されない材料の節約、軽量化等のために、中空に形成されており、下端は開口している。
【特許文献１】特開平７−２４３４２０号公報
【特許文献２】特開平９−８９１９１号公報
【発明の開示】
【発明が解決しようとする課題】
【０００４】
しかしながら、中空に形成され、下端が開口したボルト台座は、その下端開口から台座内にゴミ等が侵入して溜まりやすい。このボルト台座が、例えば食品製造工場における食品製造機器を支持する物品支持脚用のボルト台座である場合、台座内に食品材料に起因するゴミが溜まり、ゴキブリ等の虫類が集まってきたり、居ついたりし、不衛生である。        
【０００５】
また、できるだけ塵埃の少ない清浄雰囲気において運転することが要求される、或いは望まれる、例えば電子部品、電子機器等の製造機器を支持する物品支持脚用のボルト台座である場合、ボルト台座下端開口から台座内にゴミが侵入して清浄雰囲気が損なわれやすくなる。
【０００６】
そこで本発明は、ボルト台座にボルトが立設され、該ボルトを被支持物品のボルト螺合部位に螺合させる一方、該ボルト台座を物品支持基体上に設置することで該物品を該物品支持基体上に支持する物品支持脚であって、ボルト台座内にゴミ等が侵入して溜まることを抑制でき、それだけ衛生的に、また、清浄な状態で使用できる物品支持脚を提供することを課題とする。
【課題を解決するための手段】
【０００７】
前記課題を解決するため本発明は、ボルト台座にボルトが立設され、該ボルトを被支持物品のボルト螺合部位に螺合させる一方、該ボルト台座を物品支持基体上に設置することで該物品を該物品支持基体上に支持する物品支持脚であって、該ボルト台座がボルト通し孔を形成した頂板部と、該頂板部の周縁から下方へ延びる中空基台スカート部とを含み、前記ボルトが、その一部で該ボルト通し孔に挿通される状態で該頂板部に立設されており、該基台スカート部の下端開口が底板により閉塞されている物品支持脚を提供する。
【０００８】
本発明に係る物品支持脚によると、ボルト台座頂板部に立設されたボルトを被支持物品の螺合部位に螺合させる一方、ボルト台座の中空基台スカート部を物品支持基体（物品設置床等）上に設置することで該物品を物品支持基体上に支持、設置することができる。
【０００９】
本発明に係る物品支持脚は、中空基台スカート部の下端開口が底板により閉塞されているので、ボルト台座内にゴミ等が侵入して溜まることが抑制され、それだけ衛生的に、また、清浄な状態で使用することができ、例えば、食品製造工場における食品製造機器の支持や、清浄雰囲気において運転されることが要求される、或いは望まれる、例えば電子部品、電子機器等の製造機器の支持等に適している。
【００１０】
前記ボルトは、例えば、その一部で前記ボルト通し孔に挿通されるとともに回転可能且つ抜け止め状態に該頂板部に立設される。
中空基台スカート部内へのゴミ等の侵入を一層確実に抑制するために、前記ボルト台座頂板部に立設されたボルト外周面と該頂板部のボルト通し孔内周との間隙から前記中空基台スカート部内へゴミが侵入することを抑制するゴミ侵入抑制部材を設けてもよい。
【発明の効果】
【００１１】
以上説明したように本発明によると、ボルト台座にボルトが立設され、該ボルトを被支持物品のボルト螺合部位に螺合させる一方、該ボルト台座を物品支持基体上に設置することで該物品を該物品支持基体上に支持する物品支持脚であって、ボルト台座内にゴミ等が侵入して溜まることを抑制でき、それだけ衛生的に、また、清浄な状態で使用できる物品支持脚を提供することができる。
【発明を実施するための最良の形態】
【００１２】
以下、本発明の実施の形態を図面を参照して説明する。
図１は本発明に係る物品支持脚の１例Ａの断面図であり、該物品支持脚Ａにより支持される被支持物品５とともに示してある。図２は物品支持脚Ａのボルト台座１０の平面図である。
【００１３】
図示の物品支持脚Ａは、ボルト台座１０に物品支持用のボルト４を立設し、ボルト台座１０の下端開口を底板３で閉じたものである。
ボルト台座１０はボルト通し孔１１を形成した頂板部１の周縁部から基台スカート部２を一体的に下方へ延設したものである。図２に示すように、頂板部１、基台スカート部２はいずれも平面から見て円形を呈している。
【００１４】
基台スカート部２は安定化のために裾広がりに中空に形成されており、下端が開口しており、これがボルト台座１０の下端開口２０となっている。この開口２０が前記底板３で閉塞されている。基台スカート部２の下端周縁部は断面形状コの字形に折り曲げられたフランジ部２１に形成されている。底板３の周縁部３２は該周縁部の内側部分３１より若干上方へ段差を付けられている。
【００１５】
底板３はその周縁部３２が基台スカート部２のコの字形に折り曲げられたフランジ部２１により保持されることで基台スカート部２の下端開口２０、従ってボルト台座１０の下端開口２０を閉じている。
基台スカート部２のフランジ部２１の下面２１０と底板３の周縁部内側部分３１の下面３１０は同じ面位置にある。
【００１６】
物品支持脚Ａはこのボルト台座１０の頂板部１のボルト通し孔１１を利用してボルト４を立設したものである。
ボルト４は、被支持物品５に設けた雌ねじ部（ボルト螺合部位）５１に螺合させる雄ねじ部４１、該雄ねじ部の下側に連設されたレンチ係合部４２、該レンチ係合部から下方へ延びるボルト通し孔１１への挿通部４３及びボルト通し孔１１に挿通されて基台スカート部２内へ突出した部分に設けられる抜け止め部材４４を含んでいる。かくしてボルト４は頂板部１に回転可能且つ抜け止め状態に立設されている。
【００１７】
また、ボルト通し孔１１の内周とボルト４の外周面との間の間隙から中空基台スカート部２内へゴミが侵入することを抑制するために、本例ではゴミ侵入抑制部材として弾性ゴム性リング板Ｓがレンチ係合部４２と頂板部１との間に配置してあり、該リング板Ｓはボルト４の回転を妨げないようにボルト４の挿通部４３に外嵌されている。
【００１８】
抜け止め部材４４は図示例では雌ねじ部材であり、その雌ねじを圧潰させつつボルト挿通部４３に嵌着されたものであるが、これに代えて、Ｃ形、Ｅ形等の弾性留め輪をボルト挿通部４３に嵌めてもよい。
また、ボルトの立設態様は以上説明したものに限定されるものではなく、ボルト４（例えばボルトのレンチ係合部４４）と頂板部１との間にボルト回転を円滑にするスラストベアリングを介在させる等してもよい。また、頭付きボルトを該ボルト頭を基台スカード部２内に配置し、下方からボルト通し孔１１にボルトを通し、頂板部１の上側で該ボルトにナットを螺合させてボルトに溶接固定し、これをレンチ係合部とするような態様なども採用できる。
【００１９】
図示の物品支持脚Ａによると、被支持物品５の雌ねじ部（ボルト螺合部位）５１にボルト４を螺合させ、このとき必要に応じレンチ係合部４２に適当なレンチ（まわし具）を係合させてボルトを回して螺合させ、且つ、ボルト台座１０からのボルト突出量を調整してボルト台座１０を物品設置床Ｆに設置することができる。かくして、被支持物品５を床Ｆ上に支持、配置することができる。
【００２０】
物品支持脚Ａは、中空基台スカート部２の下端開口２０、すなわちボルト台座１０の下端開口２０が底板３により閉塞されているので、ボルト台座１０内にゴミ等が侵入して溜まることが抑制される。また、リング板Ｓがボルト通し孔１１の内周とボルト４の外周面との間の間隙を閉じるようにレンチ係合部４２と頂板部１との間に配置されているから、中空基台スカート部２内へのゴミ等の侵入を一層確実に抑制することができる。
【００２１】
かくして、物品支持脚Ａは、それだけ衛生的に、また、清浄な状態で使用することができ、例えば、食品製造工場における食品製造機器の支持や、清浄雰囲気において運転されることが要求される、或いは望まれる、例えば電子部品、電子機器等の製造機器の支持等に適している。
【００２２】
なお、前記のリング板Ｓに代えて他のゴミ侵入抑制部材を採用してもよい。例えば、図１に破線で示すように、ボルト４に上下移動可能に嵌合され、ボルト４に沿って摺動下降させることで裾部を基台スカート部２の外周面に当接させ得るスカート状のキャップ部材ＣＡを採用してもよい。
【産業上の利用可能性】
【００２３】
本発明に係る物品支持脚は、各種物品の支持に用いることができ、特に、例えば、衛生的であることが要求される食品製造工場における食品製造機器の支持や、清浄雰囲気において運転されることが要求される、或いは望まれる、例えば電子部品、電子機器等の製造機器の支持等に利用できる。
【図面の簡単な説明】
【００２４】
【図１】本発明に係る物品支持脚の１例の断面図であり、該物品支持脚により支持される被支持物品とともに示してある。
【図２】図１に示す物品支持脚のボルト台座の平面図である。
【符号の説明】
【００２５】
Ａ  物品支持脚
１０  ボルト台座
１  頂板部
１１  ボルト通し孔
２  中空基台スカート部
２１  基台スカート部の下端フランジ部
２１０  フランジ部の下面
２０  ボルト台座下端開口（基台スカート部下端開口）
３  底板
３１  底板の周縁部内側部分
３２  底板の周縁部                                                              ３１０  内側部分３１の下面
４  ボルト
４１  雄ねじ部
４２  レンチ係合部
４３  ボルト通し孔への挿通部
４４  抜け止め部材
Ｓ  リング板
ＣＡ  キャップ部材
５  被支持物品
５１  雌ねじ部（ボルト螺合部位）
Ｆ  物品設置床
【図１】
2006038010.tif 000003
【図２】
2006038010.tif 000004
【手続補正書】
【提出日】平成16年8月4日(2004.8.4)
【手続補正１】
【補正対象書類名】明細書
【補正対象項目名】００１９
【補正方法】変更
【補正の内容】
【００１９】
図示の物品支持脚Ａによると、被支持物品５の雌ねじ部（ボルト螺合部位）５１にボルト４を螺合させ、このとき必要に応じレンチ係合部４２に適当なレンチ（まわし具）を係合させてボルトを回して螺合させ、且つ、ボルト台座１０から雌ねじ部５１までのボルト突出量、すなわち、台座１０から雌ねじ部５１までの高さ、さらに言えば、床Ｆからの高さを調整してボルト台座１０を物品設置床Ｆに設置することができる。かくして、被支持物品５を床Ｆ上に支持、配置することができる。